(57)【要約】【課題】  種々の防犯手段を一つの装置として選択的に備えられるようにし、高い防犯性能を実現するとともに、その設置によっても設置場所および建物の美観を損なうことのない、意匠的な統一感をもたらす防犯装置を提供する。【解決手段】  本発明の防犯装置１は、複数種類の防犯手段が、共通するモジュールで構成されたブロック体３にそれぞれ個別に納められ装置本体２に備えられており、異なる防犯手段を納めたブロック体３が選択的に組み合わせ可能となっている。防犯手段には、センサー４１、照明４２、カメラ４３、スピーカー４４、フラッシュ４５、カラーボール４６などがある。ブロック体３は、連結凹部３ｃと連結凸部３ｄとを備えて、隣り合うブロック体３と互いに回動可能に連結一体化することができるようになっている。【選択図】  図２
2009123149.tif 000002
【特許請求の範囲】
【請求項１】
複数種類の防犯手段が、共通するモジュールで構成されたブロック体にそれぞれ個別に納められており、異なる防犯手段を納めたブロック体が選択的に組み合わせられて装置本体に備えられていることを特徴とする防犯装置。
【請求項２】
請求項１に記載の防犯装置において、
前記防犯手段には、人の存在を検知するセンサー、および人の存在を示す検知信号に応動して点灯しうる照明を含むことを特徴とする防犯装置。
【請求項３】
請求項１または２に記載の防犯装置において、
前記防犯手段には、装置本体周辺の映像を撮影するカメラを含むことを特徴とする防犯装置。
【請求項４】
請求項１〜３のいずれか一つの請求項に記載の防犯装置において、
前記防犯手段には、不審者に対し警告音または警告メッセージを発するスピーカーを含むことを特徴とする防犯装置。
【請求項５】
請求項１〜４のいずれか一つの請求項に記載の防犯装置において、
前記防犯手段には、フラッシュ光を発するフラッシュ発光体を含むことを特徴とする防犯装置。
【請求項６】
請求項１〜５のいずれか一つの請求項に記載の防犯装置において、
前記防犯手段には、不審者に被水させる被水装置を含むことを特徴とする防犯装置。
【請求項７】
請求項１〜６のいずれか一つの請求項に記載の防犯装置において、
前記ブロック体は、対向する側面に連結凹部と連結凸部とをそれぞれ備え、複数個のブロック体が前記装置本体に隣り合って収容されるとともに、それぞれの連結凹部と連結凸部とを嵌め合わせることにより互いに回動自在となされたことを特徴とする防犯装置。
【請求項８】
請求項７に記載の防犯装置において、
前記装置本体は、複数個のブロック体のうち両端部に配設されたブロック体に軸着される回動軸を備えたホルダーであって、これらのブロック体を露出させた状態で一体に保持することを特徴とする防犯装置。
【請求項９】
請求項７に記載の防犯装置において、
前記装置本体は、複数個のブロック体を並列させて内部に収容しうるボックス状カバー部材であって、並列したブロック体のうち両端部に配設されたブロック体に軸着される回動軸を備えて回動可能に支持することを特徴とする防犯装置。
【請求項１０】
請求項７に記載の防犯装置において、
前記装置本体は、複数個のブロック体を積層させて保持しうる柱状体であって、積層したブロック体のうち上下端部に配設されたブロック体に軸着される回動軸を備えて回動可能に支持することを特徴とする防犯装置。
【発明の詳細な説明】
【技術分野】
【０００１】
本発明は、不審者の侵入を防止し、被害を未然に防ぐ防犯装置に関する。
【背景技術】
【０００２】
従来から住宅等における屋外部分の防犯装置として、種々のものが提案されている。例えば、住宅における防犯手段として、敷地内に不審者が侵入することを防止するために防犯性の高い門扉を設けたり、敷地内に不審者が侵入してきた場合には、ブザー等の警報音を発したり、フラッシュライト等で閃光を照射したりして撃退する方法がとられてきた。また、出入口や開口部まわりに防犯カメラや照明器を設置して、不審者を捉えて画像を記録する方法や、警備会社に通報する方法などもあり、最近では外出先から携帯電話機を用いて防犯異常の有無を確認できるネット接続型セキュリティも提案されている。
【０００３】
また、最近では住宅における防犯意識の高まりから、いずれかひとつの防犯機能を設けるだけでなく、警報と照明またはカメラなど、複数の防犯機器を備える例も多く見られるようになっている。この場合、機器の種類や製造メーカーによって装置そのものの色や形状が異なり、住戸の周囲の同一箇所に複数の機器を設置するとなると、煩雑な印象を与えて意匠上も好ましくなく、著しく外観を損なうおそれがあった。また、このような各防犯機器を作動させるためのセンサー類は各機器に個別に備えられて、それぞれの機器に対して単独で作用するので、効率が悪く、コストがかさむ要因ともなりかねない。
【０００４】
そこで、本出願人は、各種防犯機能を一体に備えた高い防犯性能を有する防犯装置を検討することにより、同一箇所でのセンサー類の重複使用や、設置による意匠性の低下を避け、防犯性能を一層高めるとともに、居住者ごとに異なる要望に対応しうる防犯装置の開発を進めてきた。
【０００５】
ここで、例えば特許文献１には、住宅の玄関を監視する監視カメラと、この監視設備に連動した威嚇設備を備えた防犯用柱を建物の近傍に設置することが記載されている。また、柱にはスピーカーや照明が取り付けられている。
【特許文献１】特開２００２−２３０６５５号公報
【発明の開示】
【発明が解決しようとする課題】
【０００６】
しかしながら、前記特許文献１に記載の技術は、玄関近傍に設置される柱体であり、設置される場所が限定されることで、防犯領域も玄関付近に限定され、十分な防犯対策とはなり得ない。また、柱体に既製の監視カメラや照明が単に取り付けられた構成であり、このように機能や形状等の異なる機器類を複数設置することは、前記したように美観を損ない、煩雑な印象を与え、住宅の外観との統一性がなく、意匠性に劣ってしまうという問題点がある。
【０００７】
そこで本発明は、上記のような問題点にかんがみてなされたものであり、不審者を検知するセンサー、カメラ、照明等の検知手段に加えて、不審者による被害を未然に防ぐ警告手段、撃退手段等を一つの防犯装置として選択的に備えられるようにして、高い防犯性能を実現するとともに、その設置によっても設置場所および建物の美観を損なうことのない、統一感のある意匠性の高い防犯装置を提供するものである。
【課題を解決するための手段】
【０００８】
上記した目的を達成するため、本発明に係る防犯装置は、住宅の出入口または開口部の周辺に設置される装置本体と、装置本体に備えられた防犯手段とを有し、複数種類の防犯手段が、共通するモジュールで構成されたブロック体にそれぞれ個別に納められており、異なる防犯手段を納めたブロック体が選択的に組み合わせられて前記装置本体に備えられていることを特徴とする。
【０００９】
このような構成であることにより、防犯対策を施そうとする箇所に合わせて要求される防犯手段を選択的に組み合わせ、一つの防犯装置を構成することができる。また、ブロック体を取り替えるだけで、異なる機能の防犯手段への変更や追加も行うことができ、メンテナンスも容易であり、防犯性能に対する要求に柔軟に対応することができる。さらに、かかる防犯手段を納めたブロック体は、いずれも共通するモジュールで構成されているので、統一感のある意匠を形成することができ、設置箇所の美観を損なうことなく、高い防犯性能を確保することが可能となる。
【００１０】
また、本発明は前記構成の防犯装置において、前記防犯手段には、人の存在を検知するセンサー、および人の存在を示す検知信号に応動して点灯しうる照明を含むことを特徴とする。これにより、住宅に近づき侵入しようとする不審者の存在を検知して、防犯を図ることができる。
【００１１】
さらに、前記防犯手段としては、装置本体周辺の映像を撮影するカメラが含まれてもよい。このようにカメラで映像を捉えることで、不審者を撮影することができ、犯人の特定や追跡を容易にすることができる。さらに、撮影した映像を録画して、遠隔の居住者に防犯情報として映像を送信することも可能となる。
【００１２】
また、不審者による被害を未然に防ぐ警告手段、威嚇手段とすることを考慮して、不審者に対し警告音または警告メッセージを発するスピーカー、フラッシュ光を発するフラッシュ発光体、不審者に被水させる被水装置を含んで構成されていてもよい。
【００１３】
これにより、不審者が侵入するのを躊躇したり、あきらめたりすることを期待でき、被害を未然に防いだり、最小限に抑えたりすることが可能となる。
【００１４】
また、本発明において、前記ブロック体は、対向する側面に連結凹部と連結凸部とをそれぞれ備え、複数個のブロック体が前記装置本体に隣り合って収容されるとともに、それぞれの連結凹部と連結凸部とを嵌め合わせることにより互いに回動自在となされたことを特徴としている。
【００１５】
このような構成により、複数種類のブロック体同士の組み合わせが容易であり、必要な防犯手段を選択して防犯装置を構成することができる。そして、かかる防犯手段を備えた装置本体を住宅周囲に設置後も、必要に応じてそれぞれの防犯手段を納めているブロック体を回動させて、所望の方向へ向きを変更することができる。
【００１６】
また、本発明において、前記装置本体は、複数個のブロック体のうち両端部に配設されたブロック体に軸着される回動軸を備えたホルダーであって、これらのブロック体を露出させた状態で一体に保持することを特徴としている。
【００１７】
また、本発明において、前記装置本体は、複数個のブロック体を並列させて内部に収容しうるボックス状カバー部材であって、並列したブロック体のうち両端部に配設されたブロック体に軸着される回動軸を備えて回動可能に支持するように構成されていてもよい。
【００１８】
あるいは、前記装置本体は、複数個のブロック体を積層させて保持しうる柱状体であって、積層したブロック体のうち上下端部に配設されたブロック体に軸着される回動軸を備えて回動可能に支持するように構成されていてもよい。
【００１９】
このように構成される装置本体によって、複数個のブロック体を回動可能に、かつ一体的に保持させて設置することができ、開口部の上部、出入口の周囲、玄関先、または駐車場など、設置する場所に応じて装置本体の形態を選択すれば、どのような場所にも対応することができ、汎用性が高く、またその設置場所の外観を損ねることもなく、好ましい状態で防犯を図ることができる。
【発明の効果】
【００２０】
上述のように構成される本発明の防犯装置によれば、不審者を検知するセンサー、カメラ、照明等の検知手段に加えて、不審者による被害を未然に防ぐ警告手段、威嚇手段等を一つの防犯装置として選択的に備えられるようにして、高い防犯性能を実現するとともに、有効に設置することを可能にして、その設置によっても設置場所および建物の美観を損なうことのない、意匠的に統一感をもたせることが可能となる。
【発明を実施するための最良の形態】
【００２１】
以下、本発明に係る防犯装置を実施するための最良の形態について、図面を参照しつつ説明する。
【００２２】
図１〜図１０は本発明に係る防犯装置を示し、図１は防犯装置の一実施形態を示す斜視図、図２は防犯装置の他の実施形態を示す斜視図、図３は防犯装置におけるブロック体を示す斜視図、図４〜６は前記ブロック体の組み合わせ例を示す説明図である。また、図７はカラーボールを納めたブロック体の例を示す説明図、図８はブロック体同士の連結形態の一例を示す説明図、図９は防犯装置の設置例を示す斜視図、図１０は防犯装置の他の実施形態を示す斜視図である。
【００２３】
図１、２に示すように、防犯装置１は、装置本体２と、装置本体２に備えられた種類の異なる複数の防犯手段を有して、防犯を図るように構成されている。
【００２４】
複数種類用意された防犯手段は、共通するモジュールで構成されたブロック体３にそれぞれ納められている。図３に示されるように、ブロック体３はそれぞれ立方体形状のブロックであり、いずれも同一寸法で形成されている。例示のブロック体３は、一辺が１００ｍｍのモジュールにより形成されており、その正面が、内部に納められている防犯手段の機能部３ａとなされている。
【００２５】
防犯手段としては、住宅の防犯上有効な、図３に例示するように、センサー４１、照明４２、カメラ４３、スピーカー４４、フラッシュ４５、被水装置４６などがあげられる。
【００２６】
それぞれの防犯手段について説明すると、センサー４１は、人が放射する遠赤外線の動きや変化を立体的に監視しうるパッシブセンサーや、赤外線センサー、温度センサー等の人の存在を検知しうるセンサーであり、中でも単独で検知することが可能なパッシブセンサーが好適である。
【００２７】
照明４２は、装置本体２の設置箇所の周辺を照射して夜間などにおける不審者を照らし出して防犯を図るものであり、前記センサー４１からの検知信号に応動して点灯する仕組みを備えることが好ましい。また、周辺の明るさを検知する照度センサーを組み込んで、視認性に劣る夕方や夜間など、照度の低下した時間帯に、検知信号によることなく照明４２を点灯させて防犯性を高めるように構成してもよい。照明用光源にはどのような光源を用いてもよいが、維持管理の容易性と経済性を考慮すればＬＥＤが好ましい。
【００２８】
カメラ４３は、照明４２と同様に設置箇所の周辺の映像を撮影するものであり、センサー４１の検知信号に基づく制御部５からの指令信号により撮影動作を開始させ、撮影画像を録画保存したり、保存した映像を適宜、防犯受信機Ｐ等へ転送したりすることが可能となっている（図１１参照）。
【００２９】
スピーカー４４は、センサー４１の検知信号に基づいて、警報音を発したり、音声メッセージを発して、不審者に警告するとともに不審者の撃退を図り、また周辺へ異常を知らせる。かかるスピーカー４４は、センサー４１による不審者の検知時間に応じて音量を増大させたり、外部に通報して救援を求めるように制御されていてもよい。
【００３０】
フラッシュ４５は、強烈な光を断続的に発するフラッシュ発光体を備え、昼夜を問わず不審者に対してフラッシュ光による警告を行う。例えば、センサー４１による不審者の検知時間が所定時間を超える場合に、フラッシュ４５を発光させるように制御してもよい。
【００３１】
被水装置４６は、検知された不審者に被水させて住宅内への侵入等を未然にあきらめさせたり、着色水、あるいは塗料等を含む液体を浴びせて犯人追跡の容易化を図るものである。被水させる手段としては、水等の液体を噴射する噴射ノズルや、着色水等が封入されたカラーボールなどがあげられる。被水装置４６としてカラーボールを用いる場合、図７に例示するように、ブロック体３の前面扉３ｂが開閉可能とされて内部にカラーボール４６ａが収容されており、センサー４１の検知信号を受けた指令信号に基づいて前面扉３ｂが開き、カラーボール４６ａが投射されるように制御されている。
【００３２】
このような各種の防犯手段が、共通するモジュールにより形成されたブロック体３にそれぞれ個別に納められて構成されており、異なる防犯手段を納めたブロック体３を選択的に組み合わせて装置本体２に備えることにより、防犯装置１が構成されている。
【００３３】
防犯手段の組み合わせ方は複数通りあるが、図４に示すように、センサー４１の入ったブロック体３と照明４２の入ったブロック体３との組み合わせを基本防犯仕様とし、これにより不審者を検知して照明を点灯させ、夜間の防犯性を高めることを可能にしている。
【００３４】
また、図５に示すように、センサー４１、照明４２、およびカメラ４３がそれぞれ納められたブロック体３を組み合わせ、より防犯性能を高めた仕様とすることもできる。この組み合わせの場合、照明４２による防犯性に加え、カメラ４３で撮影された画像を録画保存して犯人の特定を容易にし、また同時に、居住者の携帯電話機や携帯端末等の適宜の防犯受信機Ｐへ映像を転送することで、不審者か否かを確認することも可能となり、通報するなどの次の対策を講じることが可能となる。
【００３５】
さらに、図６に示すように、スピーカー４４、フラッシュ４５、センサー４１、照明４２、カメラ４３、および被水装置４６がそれぞれ納められたブロック体３を選択して組み合わせ、防犯強化を図った仕様としてもよい。この組み合わせの場合、前記携帯電話機等における映像確認が可能となるのに加え、不審者であることが判明すれば、スピーカー４４により大音量の警報音または音声メッセージ等を発して警告し、フラッシュ４５や被水装置４６を作動させて撃退を図るように制御することができる。
【００３６】
なお、ブロック体３は、上記のように立方体で同一寸法を有して形成されるほか、当該寸法の倍数で形成された直方体形状であってもよく、内部に納める防犯手段の種類によって大きさを選択でき、大きさが異なる場合でも共通するモジュールにより構成されていればよい。
【００３７】
このように構成されるブロック体３は、装置本体２に備えられて一体化が図られている。このとき、図８に示すように、各ブロック体３の側面に連結凹部３ｃと連結凸部３ｄとを備えた構成であると容易に組み合わせることができ好ましい。すなわち、この場合のブロック体３は、隣り合うブロック体３と、互いの連結凹部３ｃと連結凸部３ｄとを嵌め合わせることによって連結一体化されて電気的に接続されることが望ましい。その際、ブロック体３…３は、互いに回動自在な構成をとることができる。
【００３８】
これに対し、複数個のブロック体３が収容される装置本体２は、いくつかの実施形態がある。その一つに、図１に示す形態があり、この装置本体２は、６個のブロック体３を並列させて内部に収容し、正面および下方が開放されたボックス状カバー部材となされている。装置本体２は、並列したブロック体３のうち両端部に配設されたブロック体３、３に軸着される回動軸支部２１を備えて、ブロック体３を回動可能に支持している。したがって、ブロック体３の正面の機能部３ａを所望の方向に向けることが可能であり、必要に応じて照明４２の照射方向を変更したり、カメラ４３の監視エリアを調整したりすることができる。
【００３９】
また、装置本体２は図２に示すような形態であってもよく、この場合、並列されたブロック体３は被覆されずに、両端部に配設されたブロック体３、３に軸着される回動軸支部２１を備えたホルダーとして形成されている。かかる装置本体２に保持されたブロック体３は、そのまま露出された状態で設置され、いずれのブロック体３も回動可能となされて、機能部３ａの向きを変更することができるようになっている。
【００４０】
このような装置本体２を備える防犯装置１は、図９に例示するように、住宅の出入口を含めた人の出入りの用に供する開口部１０１や、その他住宅への侵入口として狙われやすい箇所の周囲に設置されるとよい。図示するように防犯装置１を開口部１０１のサッシ上部に平行させて設けると、センサー４１により開口部１０１へ接近する不審者を検出することができ、備えられている防犯手段によって不審者への警告や撃退等を行って、防犯することが可能となる。また、開口部１０１のサッシ上部に設置困難な場合は、装置本体２を開口部１０１の側部に高さ方向に設置したり、軒裏や外壁部に埋め込み設置したりして、同様の防犯を図ることもできる。装置本体２およびブロック体３の小型化を図って、開口部１０１のサッシ枠内やシャッター枠内に埋設してもよい。
【００４１】
さらに、装置本体２は、図１０に例示するように、複数個のブロック体３を積層させて内部に保持しうる柱状体２２で構成されて、各ブロック体３の連結凹部３ｃと連結凸部３ｄとを嵌め合わせ、上下方向に積層させたブロック体３のうち、上下端部に配設されたブロック体３、３に軸着される回動軸支部２１を備えるものであってもよい。このような柱状体２２の装置本体２の場合、各ブロック体３が略水平方向に回動可能となされて、機能部３ａの向きを同水平面内において変更することができるようになっている。かかる装置本体２は、開口部１０１に近接させて敷地内に立設してもよいし、開口部１０１や出入口の近傍に限らず、住宅の防犯を図る必要のある場所であれば、庭や駐車場など、どのような場所にでも設置することができる。
【００４２】
次に、上記のような構成からなる防犯装置１の動作、および使用形態について例示する。図１１は防犯装置１のシステム系統の一例を示す説明図、図１２は防犯装置１の動作例を示す説明図である。
【００４３】
かかる構成の防犯装置１は、図１１に例示されるようなシステム構成を採用することにより、住宅１０の防犯対策として好適に利用することができる。このシステム構成においては、侵入口として狙われやすい住宅１０の開口部１０１…１０１の周囲（例えばサッシ上部）に防犯装置１…１が設置されている。住宅１０には、各防犯装置１が備えるセンサー４１の検知信号に基づいて、照明４２やカメラ４３等の他の防犯手段へ所定の指令信号を送信する制御部５が設けられている。また、住宅１０には、制御部５の取得情報をディスプレイに表示して居住者に防犯情報を知らせる宅内表示盤６、制御部５に接続されたサーバ７、ＬＡＮ８、情報端末（インターネット）９等が備えられている。
【００４４】
例えば、図１２に示すように、防犯装置１のセンサー４１は、検知エリア内の人の存否を検出しており、人を検知すると検知信号が制御部５に出力され（Ｓ１）、この検知情報が制御部５から宅内表示盤６に表示される（Ｓ２）。
【００４５】
また、この検知信号に基づいて制御部５は、開口部１０１の防犯装置１に納められた照明４２を点灯させ、さらにフラッシュ４５を発光させる（Ｓ３）。防犯手段として装置本体２にカメラ４３を備える場合、制御部５からの指令信号に基づいてカメラ４３が作動し、開口部１０１近辺の映像が撮影・録画される（Ｓ４）。情報端末９に接続されたサーバ７には、カメラ４３の映像が保存される（Ｓ５）。
【００４６】
また、これに伴って、居住者の携帯電話機等の防犯受信機Ｐに、当該カメラ映像や住宅１０の状況等がメール送信されるように構成することも可能である。すなわち、居住者の不在時には、携帯電話機等の防犯受信機Ｐへ、サーバ７が保有する映像とともに検知情報が送信され（Ｓ６）、居住者は送られてきた映像を確認して自宅の防犯状況を判断することができる（Ｓ７）。居住者が映像を確認することによって、不審者の侵入であると判断した場合には、防犯受信機Ｐから制御部５へ指令信号を送信し、該当する開口部１０１における被水装置４６やスピーカー４４を作動させ（Ｓ８）、不審者に被水させたり、警報音等で警告して、不審者の侵入を防ぐように対応することができる。また、警察や警備会社等への通報を行って、早期に住宅１０への派遣要請をしてもよい（Ｓ９）。
【００４７】
これにより、住宅１０へ侵入しようとする不審者に対して、十分な犯罪抑止機能を発揮することができ、被害を最小限に抑えることが可能となる。また、設置する防犯装置１は、住宅の各部ごとに要望される防犯手段を適宜選択して備えることが可能であり、過剰なコストをかけることなく、防犯対策を講じることができる。さらに、防犯装置１は、複数の防犯手段を備えても、共通するモジュールでブロック体３が構成されて統一感のある外観を形成しているので、設置した住宅１０の美観や意匠性を損なうことがなく、有効に設置することができる。また、ブロック体３が共通するモジュールにより形成されていることで、選択した防犯手段の組み替えや更新、およびメンテナンスも容易に行うことができる。
【００４８】
なお、前記実施形態は本発明に係る防犯装置１の例示であって本発明はこれらの形態に限定されるものではなく、装置本体２の形状、防犯手段の種類、およびブロック体３の大きさ、形状などは他のいろいろな形で実施することができる。
【産業上の利用可能性】
【００４９】
本発明は、住宅における防犯設備として好適に利用することができる。
【図面の簡単な説明】
【００５０】
【図１】本発明に係る防犯装置の一実施形態を示す斜視図である。
【図２】本発明に係る防犯装置の他の実施形態を示す斜視図である。
【図３】本発明の防犯装置におけるブロック体を模式的に示す斜視図である。
【図４】前記ブロック体の第１の組み合わせ例を示す説明図である。
【図５】前記ブロック体の第２の組み合わせ例を示す説明図である。
【図６】前記ブロック体の第３の組み合わせ例を示す説明図である。
【図７】本発明の防犯装置においてカラーボールを納めたブロック体の例を示す説明図である。
【図８】本発明の防犯装置においてブロック体同士の連結形態の一例を示す説明図である。
【図９】本発明に係る防犯装置の設置例を示す斜視図である。
【図１０】本発明に係る防犯装置の他の実施形態を示す斜視図である。
【図１１】本発明に係る防犯装置のシステム系統の一例を示す説明図
【図１２】本発明に係る防犯装置の動作例を示す説明図である。
【符号の説明】
【００５１】
１      防犯装置
２      装置本体
２１    回動軸支部
３      ブロック体
３ａ    機能部
３ｂ    前面扉
３ｃ    連結凹部
３ｄ    連結凸部
４１    センサー
４２    照明
４３    カメラ
４４    スピーカー
４５    フラッシュ
４６    被水装置
４６ａ  カラーボール
５      制御部
６      宅内表示盤
７      サーバ
８      ＬＡＮ
９      情報端末
１０    住宅
１０１  開口部
【図１】
2009123149.tif 000003
【図２】
2009123149.tif 000004
【図３】
2009123149.tif 000005
【図４】
2009123149.tif 000006
【図５】
2009123149.tif 000007
【図６】
2009123149.tif 000008
【図７】
2009123149.tif 000009
【図８】
2009123149.tif 000010
【図９】
2009123149.tif 000011
【図１０】
2009123149.tif 000012
【図１１】
2009123149.tif 000013
【図１２】
2009123149.tif 000014